(57)【特許請求の範囲】
【請求項１】
赤出力用副画素、緑出力用副画素、青出力用副画素及び輝度用副画素を１つの主画素単位とする液晶パネルを備えるカラー表示可能な液晶表示装置であって、
入力画像信号から得られた赤入力用副画素、緑入力用副画素及び青入力用副画素のデジタル値Ｒｉ、Ｇｉ及びＢｉを用いて、前記輝度用副画素を駆動するためのデジタル値Ｗと、前記赤出力用副画素、緑出力用副画素、青出力用副画素及び輝度用副画素を駆動するためのデジタル値Ｒｏ、Ｇｏ、及びＢｏとを求める演算手段を有し、
前記演算手段は、
Ｒｉ：Ｇｉ：Ｂｉ＝（Ｒｏ＋Ｗ）：（Ｇｏ＋Ｗ）：（Ｂｏ＋Ｗ）
の関係を満たしかつ前記輝度用副画素の追加により前記赤入力用副画素、緑入力用副画素及び青入力用副画素のみの構成よりも輝度の増強がなされるようなＲｏ、Ｇｏ及びＢｏ、並びにＷの各値を求める、
ことを特徴とする液晶表示装置。
【請求項２】
請求項１に記載の液晶表示装置であって、前記デジタル値Ｗは、前記赤入力用副画素、緑入力用副画素及び青入力用副画素のデジタル値のうち、最小値をＹｍｉｎとした場合に、演算式Ｗ＝ｆ（Ｙｍｉｎ）により表される関数により求めることを特徴とする液晶表示装置。
【請求項３】
請求項１に記載の液晶表示装置であって、前記デジタル値Ｗは、前記赤入力用副画素、緑入力用副画素及び青入力用副画素のデジタル値のうち、最大値をＹｍａｘとし、最小値をＹｍｉｎとした場合に、演算式Ｗ＝ｆ（Ｙｍａｘ，Ｙｍｉｎ）により表される関数により求めることを特徴とする液晶表示装置。
【請求項４】
請求項３に記載の液晶表示装置であって、前記演算式Ｗ＝ｆ（Ｙｍａｘ，Ｙｍｉｎ）により表される関数は、前記Ｙｍａｘ又はＹｍｉｎの値が大きくなるにつれ単調増加する関数であることを特徴とする液晶表示装置。
【請求項５】
請求項３に記載の液晶表示装置であって、前記演算式Ｗが前記Ｙｍｉｎを変数とし、前記Ｙｍａｘを定数とする関数により与えられ、前記演算式Ｗ＝ｆ（Ｙｍａｘ，Ｙｍｉｎ）により表される関数は、Ｙｍｉｎの値が大きくなるにつれ単調増加する関数であることを特徴とする液晶表示装置。
【請求項６】
請求項１ないし５のうちいずれか１つに記載の液晶表示装置であって、前記入力画像から得られた赤入力用副画素、緑入力用副画素及び青入力用副画素毎のデジタル値Ｒｉ、Ｇｉ及びＢｉが、輝度のディメンジョンを持つ値としてＲＩ、ＧＩ及びＢＩ変換されて、赤出力用副画素、緑出力用副画素、青出力用副画素及び輝度用副画素のそれぞれの輝度が、ＲＯ、ＧＯ、ＢＯ、及びＷＯと表される場合に、ＲＩ：ＧＩ：ＢＩ＝（ＲＯ＋ＷＯ）：（ＧＯ＋ＷＯ）：（ＢＯ＋ＷＯ）の関係を満たすことを特徴とする液晶表示装置。
【発明の詳細な説明】
【０００１】
【発明の属する技術分野】
本発明は、カラー表示可能な液晶表示装置に関する。
【０００２】
【従来の技術】
近年、パーソナルコンピュータ、ビデオカメラ、及びカーナビゲーション等の表示装置として、カラー表示可能な液晶表示装置が普及している。この液晶表示装置の輝度を向上させるための方法として、従来のＲＧＢ方式のＲＧＢフィルターに加え透明フィルター（Ｗ）を設置した、ＲＧＢＷ方式の液晶表示装置（以下、「ＲＧＢＷ型液晶表示装置」という。）が、特開平１０−１０９９８号公報に提案されている。
【０００３】
【発明が解決しようとする課題】
しかし、単に透明フィルターを加えて輝度を向上させるために全ての表示色において白色が混ざるため、オリジナル画像の赤色、緑色、及び青色の比率が異なってしまう。その結果、オリジナル画像に対して表示画像の色純度（彩度）が低下し、特に中間調において色度が変化してしまう。
【０００４】
そこで、本発明は、入力されたオリジナル画像の赤色成分、緑色成分、及び青色成分に、輝度向上のための白色成分を加えた後、さらにこれらの白色成分付加後の赤色成分、緑色成分、及び青色成分の比率をオリジナル画像の赤色成分、緑色成分、及び青色成分の比率に換算して、各副画素ＲＧＢＷを駆動することにより、中間調においても色度が変化しないＲＧＢＷ型の液晶表示装置を提供することを目的とする。
【０００５】
【課題を解決するための手段】
本発明による液晶表示装置を提供することにより、オリジナル画像の赤色、緑色、及び青色の各成分に、輝度向上のための白色成分を加えた場合に表示画像の中間調の色度が変化しないので、前記目的を達成することができる。
【０００６】
【発明の実施の形態】
以下、本発明に係る液晶表示装置の好適実施形態について説明する。
【０００７】
図１は、本発明の一実施形態の液晶表示装置１００の構成を示すブロック図である。この液晶表示装置１００は液晶パネル１を備えている。図２は、この液晶パネル１００の水平断面を概略的に示す平面図である。図２に示されるように、この液晶パネル１には、列状のゲートバスＧ１〜Ｇｍ（ｍ：自然数）と、行状のソースバスＳ１〜Ｓｎ（ｎ：自然数）とが備わっている。そして、ゲートドライバ２には、ゲートバスＧ１〜Ｇｍが順に接続されており、またソースドライバ３には、ソースバスＳ１〜Ｓｎが順に接続されている。
【０００８】
また、ゲートバスＧｉ及びＧｉ＋１（ｉ＝１〜ｍ）と、ソースバスＳｊ及びＳｊ＋１（ｊ＝１〜ｎ）とが作る網目内にＲ（赤）、Ｇ（緑）、Ｂ（青）、又はＷ（白）の副画素Ｌｉｊが配置されている。そして、ゲートバスＧｉとソースバスＳｊの交差点付近にＴＦＴ（薄膜トランジスタ）Ｑｉｊが配置されている。
【０００９】
さらに、ゲートバスＧｉがＴＦＴＱｉｊのゲートに、ソースバスＳｊがＴＦＴＱｉｊのソースに、及び各副画素Ｌｉｊの表示電極がＴＦＴＱｉｊのドレインに接続されている。また、各サブピクセルＬｉｊの表示電極と対向する電極を共通電極とし、この共通電極は、図示しないコモン電圧供給回路に接続されている。
【００１０】
なお、副画素が図２のような縦ストライプ状に配置されているとき、ＲＧＢＷ用のカラーフィルターは、各サブピクセルＬｉｊに対して次のように配置されていて、一画素がＲＧＢＷの４副画素から構成されており、この液晶パネル１では、これらの副画素が縦ストライプ配列を形成している。
Ｒ：Ｌｉｊ（ｉ＝１，２，３，…，ｍ−１，ｊ＝１，５，９，…，ｎ−３）
Ｇ：Ｌｉｊ（ｉ＝１，２，３，…，ｍ，    ｊ＝２，６，１０，…，ｎ−２）
Ｂ：Ｌｉｊ（ｉ＝１，２，３，…，ｍ，    ｊ＝３，７，１１，…，ｎ−１）
Ｗ：Ｌｉｊ（ｉ＝１，２，３，…，ｍ−１，ｊ＝４，８，１２，…，ｎ）
【００１１】
この液晶パネル１では、これらの副画素が縦ストライプ配列を形成している。なお、液晶パネル１のパネル面と垂直の方向には、副画素電極が形成されたＴＦＴ基板（図示せず）、共通電極が形成されたカラーフィルタ基板、及びガラス基板等が備えられており、これら基板の間には液晶が挟まれて充填されている。
【００１２】
図１に戻って、液晶表示装置１００の説明を続ける。液晶パネル１の周囲に、ゲートドライバ２と、８個のソースドライバ３が配置されている。各ソースドライバ３は、図示しない、アンプ、ＤＡＣ（ＤＡコンバータ）、及びラッチを備えている。８個のソースドライバ３には、デコーダ６が接続されている。そして、このデコーダ６には取得画像の８ビットの副画素データが入力され、この入力データをデジタルデータに変換する画像データ保持部５が接続されている。
【００１３】
また、この液晶表示装置１００は、信号制御部４を備えている。この信号制御部４は、ゲートドライバ２及びソースドライバ３に電源電圧を供給するとともに、ゲートドライバ２及びソースドライバ３に制御信号を供給する。また、液晶表示装置１００は、各ソースドライバ３それぞれに基準電位を供給する図示しない基準電位発生回路を備えている。
【００１４】
以下、図１に示す液晶表示装置１００の動作について説明する。 制御電源４から、ゲートドライバ２、各ソースドライバ８それぞれに、制御信号が供給される。ゲートドライバ２は、その制御信号に基づいて、各ゲートバス（図２参照）それぞれに、ＴＦＴＱｉｊをｏｎ状態とするための信号を伝送する。
【００１５】
また、各ソースドライバ３に制御信号が供給されると、その制御信号に基づいて、各ソースドライバ３のラッチ部（不図示）で、画像データ保持部５に取得されているデジタル画像を構成する画素データＲＧＢのデータ（以下、「副画素入力データＲｉ、Ｇｉ、及びＢｉ」とする。）についてデコーダ６により所定の演算（後述）が行われ、ＲＧＢＷ副画素用の信号として得られた、８ビットの副画素データ（以下、「副画素出力用輝度データＲｏ、Ｇｏ、Ｂｏ」とする。）がラッチされる。
【００１６】
ラッチ部にラッチされた副画素データは、順次出力され、ＤＡＣ部（不図示）に入力される。また、制御電源４は、ＤＡＣ部が、基準電位発生回路から発生される、正極用基準電位から電位を選択するのか、又は負極用基準電位から電位を選択するのかを制御するための極性制御信号を出力し、この極性制御信号はＤＡＣ部に入力される。ＤＡＣ部は、入力された極性制御信号と副画素出力用輝度データとに基づいて、基準電位発生回路が発生する電位から、このＲＧＢＷ副画素出力用データに対応した電位を選択する。
【００１７】
ＤＡＣ部により電位が選択されると、ＤＡＣ部は所望の階調が得られるように抵抗分割により選択された電位における電圧を何段階かに適当に分割する。この後、分割された電圧がアンプ（不図示）で電流増幅されて、対応するソースバスＳ１〜Ｓｎのいずれか（図２参照）に伝送される。このソースバスに伝送された電位を表す信号は、ゲートバスＧ１〜Ｇｍのいずれかに伝送された信号によりＴＦＴがｏｎ状態になると、このＴＦＴを経由して各副画素電極に伝送される。
【００１８】
これにより、各副画素電極に、副画素データに応じた電位が付与される。従って、共通電極と、各副画素電極とに挟まれる液晶層に電圧が印加され、液晶層は、各副画素電極に付与された電位に応じて駆動し、加法混色の原理により液晶パネル１に画像が表示される。
【００１９】
さらに詳細に、上述したデコーダ６の演算処理の好適実施形態について、図３（ａ）並びに（ｂ）、及び後述する数式１から数式５を参照して、以下説明する。
【００２０】
図３（ａ）に示されるように、デコーダ６は、画像データ保持部５から副画素入力データＲｉ、Ｇｉ、及びＢｉを受け、これらから、輝度増強用副画素のための輝度データＷｏと、副画素出力用輝度データＲｏ、Ｇｏ、及びＢｏとを演算により求め、ソースドライバ３へ出力する機能を持つ。尚、デコーダ６は、画像データ保持部５から副画素入力データＲｉ、Ｇｉ、及びＢｉを受けた後、輝度のディメンジョンの値に変換した後で、後述する該演算を行うようにしてもよい。
【００２１】
一般にコンピュータ用のディスプレイでは、デジタル値Ｄｉｇ（入力デジタルデータ）と輝度Ｙとの間に、Ｙ＝ｋＤｉｇ２．２（ｋは比例定数）という関係がある。本実施形態に係る演算処理でもこの輝度ディメンジョンを用いて、後述する演算を実行することは可能である。しかし、かかる輝度ディメンジョンへの変換により、８ビットのデジタル信号が１６ビット程度の値となり、結果として、使用する回路が複雑かつ大規模となり、コストアップとなる。
【００２２】
そのため、回路規模を簡易にするため、前記ディメンジョンの変換はせずにデジタル値のままで演算を行ってもよい。また、このように簡略した演算であっても表示される画像の画質に与える影響は、問題になるほど大きいものではなく、実用に耐えるものである。また、本願明細書に記載されている本発明に係る諸演算式は、Ｒ、Ｇ、及びＢの各データのディメンジョンに関係なく同じ原理で説明できる。そこで、以下の実施形態の説明では、簡略化のために、入力されたデジタル値をそのまま使用するものとして説明するものとする。
【００２３】
次に、図３（ｂ）を参照して、デコーダ６の内部の構成及び動作について説明する。図３（ｂ）に示されるように、デコーダ６は、コンパレータ７、ルックアップテーブル８、赤用演算回路９、青用演算回路１０、及び緑用演算回路１１を備えている。
【００２４】
コンパレータ７は、画像データ保持部５から副画素入力データＲｉ、Ｇｉ、及びＢｉを受けた後、Ｒｉ、Ｇｉ、及びＢｉのデータ値の大小を比較する。そして、その結果、Ｒｉ、Ｇｉ、及びＢｉのデータ値の内最小値、及び最大値を求め、その最小値をＹｉｍｉｎとして、ルックアップテーブル８に出力し、一方、その最大値をＹｉｍａｘとして、赤用演算回路９、青用演算回路１０、及び緑用演算回路１１の各回路へ出力する。
【００２５】
ルックアップテーブル８は、上記最小値Ｙｉｍｉｎを受け、それを輝度増強用副画素のための輝度データＷｏに変換する。
【００２６】
この変換は、各副画素が２５６階調で表現される場合は、０から２５５に変化するＹｉｍｉｎのそれぞれの値に対して、Ｙｍｉｎを変数とする関数Ｗｏ＝ｆ（Ｙｍｉｎ）を用いて、その演算結果をＹｉｍｉｎ用アドレスに記憶させておいたＰＲＯＭを使用することにより実行される。なお、この変換は、演算回路を用いて実行されるようにしてもよい。
【００２７】
一方、赤用演算回路９、青用演算回路１０、及び緑用演算回路１１の各回路は、上記Ｒｉ、Ｇｉ、及びＢｉのデータの各値、上記Ｙｉｍａｘ値、及び上記Ｗｏ値を、Ｒｉ、Ｇｉ、及びＢｉに対応した、
数式１：Ｒｏ＝Ｒｉ（Ｗｏ＋Ｙｉｍａｘ）／Ｙｉｍａｘ−Ｗｏ
数式２：Ｇｏ＝Ｇｉ（Ｗｏ＋Ｙｉｍａｘ）／Ｙｉｍａｘ−Ｗｏ
数式３：Ｂｏ＝Ｂｉ（Ｗｏ＋Ｙｉｍａｘ）／Ｙｉｍａｘ−Ｗｏ
（以下、それぞれ、単に「数式１」、「数式２」、及び「数式３」とする。）による演算を行い、それぞれ副画素出力用輝度データＲｏ、Ｇｏ、Ｂｏを得る。
【００２８】
以上より、デコーダ６は、これらのＲＧＢ副画素用の出力輝度データＲｏ、Ｇｏ、及びＢｏを、Ｗｏと共にソースドライバ３に出力する。
【００２９】
尚、上述の数式１は、
数式４：Ｒｉ／Ｙｉｍａｘ＝（Ｒｏ＋Ｗｏ）／（Ｙｉｍａｘ＋Ｗｏ）
（以下、単に「数式４」とする。）を変形して求めた式である。すなわち、数式４は、ＲＧＢ副画素用の入力輝度データＲｉ、Ｇｉ、及びＢｉに、Ｗ副画素用の出力輝度データをＷｏを加えて、ＲＧＢ副画素用の出力輝度データＲｏ、Ｇｏ、及びＢｏを求める場合に、Ｒｉ、Ｇｉ、及びＢｉの各データ値間の比率と、ＷｏをＲｏ、Ｇｏ、及びＢｏの各データに加えた値間の比率とが同じになるようにするための関係式である。
【００３０】
同様にして、数式２は、
数式５：Ｇｉ／Ｙｉｍａｘ＝（Ｇｏ＋Ｗｏ）／（Ｙｉｍａｘ＋Ｗｏ）
を変形して求めた式であり、数式３は、
数式６：Ｂｉ／Ｙｉｍａｘ＝（Ｂｏ＋Ｗｏ）／（Ｙｉｍａｘ＋Ｗｏ）
を変形して求めた式である。（以下、これらの式をそれぞれ単に「数式５」及び「数式６」とする。）
【００３１】
上記数式１から数式３により得られた、ＲＧＢ副画素用の出力輝度データＲｏ、Ｇｏ、及びＢｏと、Ｗ副画素用の出力輝度データＷｏと、によってソースドライバ３を駆動することによって、液晶表示装置液晶パネル１から出力される画像の色度について以下の効果を奏することができる。
【００３２】
例えば、上記関数Ｗｏ＝ｆ（Ｙｍｉｎ）が、
数式７：Ｗｏ＝Ｙｉｍｉｎ
（以下、単に「数式７」とする。）で表されるときは、Ｗｏの値として、Ｒｉ、Ｇｉ、及びＢｉのうちの最小値が選ばれる。その結果、Ｒｉ、Ｇｉ、及びＢｉの値のうちどれか一つでも０の場合は、Ｗｏ＝０となる。このとき、数式１から数式３によれば、Ｒｏ＝Ｒｉ、Ｇｏ＝Ｇｉ、及びＢｏ＝Ｂｉとなる。よって、この場合は色度は変化しない。
【００３３】
また、数式１から数式３によれば、Ｒｉ、Ｇｉ、及びＢｉの各データ値間の比率と、ＷｏをＲｏ、Ｇｏ、及びＢｏの各データ値に加えた値間の比率とが同じになるので各色間の比率が変化せず、その結果、中間調においても色度が変化しない。
【００３４】
例えば、具体的な例としてＲｉ＝２４０、Ｇｉ＝１６０、及びＢｉ＝１２０の場合のデコーダ６の実施例（動作例）を、図４を参照して説明する。
【００３５】
まず、コンパレータ７は、入力データとして、Ｒｉ＝２４０、Ｇｉ＝１６０、及びＢｉ＝１２０を画像データ保持部６から取得して、Ｒｉ＝２４０、Ｇｉ＝１６０、及びＢｉ＝１２０からこの中の最小値が１２０、最大値が２４０と判断し、Ｙｉｍｉｎ＝１２０、Ｙｉｍａｘ＝２４０とする。
【００３６】
ルックアップテーブル８は、コンパレータ７から出力されるＹｉｍｉｎ＝１２０をＷｏ値として判断する（ここでは数Ｗｏ＝ｆ（Ｙｍｉｎ）が、上記数式７で表される場合を例に採る）。
【００３７】
最後に、演算回路９から１１が、それぞれ数式１から数式３に、コンパレータ７及びルックアップテーブル８から出力されたＷｏ＝１２０、Ｙｉｍｉｎ＝１２０、及びＹｉｍａｘ＝２４０の値と、ＲＧＢ副画素用の入力データＲｉ＝２４０、Ｇｉ＝１６０、及びＢｉ＝１２０の各値を代入して、ＲＧＢ副画素用の出力輝度データＲｏ＝３６０、Ｇｏ＝２４０、及びＢｏ＝１８０を得る（図４（ｃ））。
【００３８】
この結果から明らかなように、当該数式１から数式４による演算によれば、Ｒｉ：Ｇｉ：Ｂｉ＝２４０：１６０：１２０＝６：４：３であり、Ｒｏ：Ｇｏ：Ｒｏ＝３６０：２４０：１８０＝６：４：３である。すなわち、Ｒｉ：Ｇｉ：Ｂｉ＝Ｒｏ：Ｇｏ：Ｒｏの関係が満たされることが分かる。
【００３９】
結果として、輝度を向上させるためにＷｏを加えても、入力データのＲＧＢの比率と出力輝度データのＲＧＢの比率が変わらないので、中間調の色度（彩度）の低下は生じない。尚、数式４から数式６で表される関係は、上述した理由を基に各変数のデジタル値を輝度のディメンジョンに変換した場合においても成り立つことはいうまでもない。
【００４０】
すなわち、前記入力画像から得られた、赤入力用副画素、緑入力用副画素、及び青入力用副画素毎のデジタル値Ｒｉ、Ｇｉ、及びＢｉが、輝度のディメンジョンを持つ値としてＲＩ、ＧＩ、及びＢＩ変換されて、赤出力用副画素、緑出力用副画素、青出力用副画素、及び輝度用副画素のそれぞれの輝度が、ＲＯ、ＧＯ、ＢＯ、及びＷＯと表される場合には、ＲＩ：ＧＩ：ＢＩ＝（ＲＯ＋ＷＯ）：（ＧＯ＋ＷＯ）：（ＢＯ＋ＷＯ）の関係を満たす。
【００４１】
さらに、上述した好適実施形態に対して各種の変形例を採用することが可能である。以下、変形例を説明する。
【００４２】
好適実施形態では、Ｗ副画素用の出力輝度データＷｏを、ＲＧＢ副画素用の入力データＲｉ、Ｇｉ、及びＢｉのうちの最小値Ｙｉｍｉｎを変数とする関数により求められる値としたが、Ｗｏは目標とする光学特性（輝度）に応じて、他の関数により得られる値を選ぶことも可能である。
【００４３】
例えば当該関数として、ＲＧＢ副画素用の入力データＲｉ、Ｇｉ、及びＢｉのうちの最小値をＹｍｉｎ、最大値をＹｍａｘとし、これらの２つの値各々の増大により単調増加する、又は、最大値Ｙｍａｘを定数として、最小値Ｙｍｉｎの増大により単調増加する関数として、Ｗｏ＝ｆ（Ｙｍｉｎ，Ｙｍａｘ）により表される演算式により得られるＷｏ値を選ぶことも可能である。
【００４４】
また、最大輝度の白色を強調したいのであれば、
数式８：Ｗｏ＝２５５＊（Ｙｉｍｉｎ／２５５）２
のような関数により得られるＷｏ値を選ぶこともできる。さらに、中間調を明るくしたいのであれば、
数式９：Ｗｏ＝−Ｙｉｍｉｎ３／２５５２＋Ｙｉｍｉｎ２／２５５＋Ｙｉｍｉｎのような関数により得られるＷｏ値を選ぶこともできる。なお、数式８及び数式９において、Ｙｉｍｉｎは好適実施形態と同様にＲＧＢ副画素用の入力輝度データＲｉ、Ｇｉ、及びＢｉのうちの最小値である。
【００４５】
ただし、各色間の比率を保持するという条件を満足しつつ、Ｗｏ値を選ぶ際には以下に説明するように限界を定める必要がある。いま、入力データのうちの最大値、最小値をＹｍａｘ、Ｙｍｉｎ、出力輝度データのうちの最大値、最小値をＹｏｍａｘ、Ｙｏｍｉｎとすると、各色間の比率を保持するためには、
Ｙｍｉｎ／Ｙｍａｘ＝（Ｙｏｍｉｎ＋Ｗｏ）／（Ｙｏｍａｘ＋Ｗｏ）
が成り立つことが必要である。ここでは、Ｙｏｍａｘ＝Ｙｍａｘとする。
【００４６】
輝度用副画素は、輝度を増すために追加されたのであるから、そこに与えるＷｏはできるだけ大きい値が望ましい。そして、Ｗｏにできるだけ大きい値を与えるということは、Ｙｏｍｉｎ＝０として出力データにおける白色成分をすべてＷｏで置き換えるということであるから、上式は、
Ｙｍｉｎ／Ｙｍａｘ＝Ｗｏ／（Ｙｍａｘ＋Ｗｏ）
と変形できる。
【００４７】
これをＷｏについて解くと、
Ｗｏ＝Ｙｍｉｎ＊Ｙｍａｘ／（Ｙｍａｘ−Ｙｍｉｎ）
この式において、Ｙｍｉｎ／Ｙｍａｘ＞０．５のとき、Ｗｏ＞Ｙｍａｘとなることがわかる。Ｙｍａｘが取り得る最大の値（例えば、８ビットにおける２５５階調）であるとき、Ｗｏ＞ＹｍａｘなるＷｏは存在しない。
従って、Ｙｍｉｎ／Ｙｍａｘ＞０．５の場合は、
Ｗｏ＝Ｙｍａｘ
となる。
【００４８】
以上をまとめると、Ｗｏを求めるために、次の関係を満たすように任意の関数を選ぶことによって、各色間の比率を保持することができる。
Ｙｍｉｎ／Ｙｍａｘ≦０．５のとき、
→Ｗｏ≦Ｙｍｉｎ＊Ｙｍａｘ／（Ｙｍａｘ−Ｙｍｉｎ）
Ｙｍｉｎ／Ｙｍａｘ＞０．５のとき、
→Ｗｏ≦Ｙｍａｘ
以上の関係はＷｏがＹｍｉｎとＹｍａｘの関数として表されているが、Ｙｍａｘが大きくなるにつれＷｏの領域は狭くなるので、任意のＹｍａｘで適用できる範囲は図６の斜線部のようになる。すなわち、この斜線部分が各色間の比率を保持するという条件を保持しつつ、輝度向上のために加えることができるＷｏ値の範囲となる。
【発明の効果】
以上説明したように、本発明の液晶表示装置によれば、液晶表示パネルで表示される画像の輝度を輝度増強するための白色副画素により向上させても、中間調の色度を変化させることなく適切にその輝度を向上させることができる。
【図面の簡単な説明】
【図１】本発明の好適実施形態の液晶表示装置１００の構成を示すブロック図である。
【図２】図１に示す液晶パネル１の副画素、ゲートバス、及びソースバスの配置を説明するための平面図である。
【図３】図１に示すソースドライバ３及びデコーダ６を概念的に表すブロック図である。
【図４】好適実施形態を説明するための概念図である。
【図５】変形例を説明するためのグラフである。
【符号の説明】
１ 液晶パネル
２ ゲートドライバ
３ ソースドライバ
４ 信号制御部
５  画像データ保持部
６  デコーダ
７  コンパレータ
８  ルックアップテーブル
９、１０、１１  演算回路
１００  液晶表示装置
【図１】
0003805150.tif 000002
【図２】
0003805150.tif 000003
【図３】
0003805150.tif 000004
【図４】
0003805150.tif 000005
【図５】
0003805150.tif 000006